(57)【要約】【課題】複数のデータの処理が行われるときに制御部がリセットされても、どのデータの処理中に制御部がリセットされたかを容易に判断することのできる画像形成装置及びこの画像形成装置を備える画像形成システムを提供する。【解決手段】データ処理部２６が何らかの誤作動を起こすなどしてリセットされた後に、データ処理部２６が、ＲＡＭ２９内のレジスタのフラグが１になっていることを確認すると、このデータ処理部２６によって、第２のメモリ２８に格納された画像データが取り出される。そして、表示部２５の表示画面に原稿の１ページ目の縮小画像が表示される。また、データ処理部２６がリセットされたとき、第２のメモリ２８に画像データが格納されていなければ、表示部２５の表示画面に、エラー表示、即ち、原稿の画像データの読み取りを正常に行うことができない旨の表示がなされる。【選択図】図１
2007053498.tif 000002
【特許請求の範囲】
【請求項１】
原稿の画像データを読み取るスキャナ部と、装置の動作状態を表示する表示部と、装置全体の動作を制御する制御部と、各種データを記憶するメモリと、を備える画像形成装置において、
前記制御部が、前記スキャナ部による原稿の画像データの読み取りが開始されてから前記スキャナ部によって読み取られた画像データの処理が終了するまで前記メモリ内にフラグを立てるとともに、
前記スキャナ部によって原稿の画像データの読み取りが行われる際に、前記スキャナ部によって読み取られた画像データの一部を前記メモリに格納しておくことで、
前記制御部がリセットされたとき、前記制御部のリセット後に前記メモリを参照することにより前記メモリ内にフラグが立っていることを当該制御部が確認すると、画像データを前記メモリより取り出して前記表示部に表示させることを特徴とする画像形成装置。
【請求項２】
前記制御部がリセットされ、前記制御部のリセット後に前記メモリを参照することにより前記メモリ内にフラグが立っていることを当該制御部が確認したときに、前記メモリに画像データが格納されていなければ、前記表示部にエラー表示を行うことを特徴とする請求項１に記載の画像形成装置。
【請求項３】
前記スキャナ部によって原稿の画像データの読み取りが行われる際に、前記スキャナ部によって読み取られた原稿の１ページ目の画像データが前記メモリに格納されるとともに、
前記制御部がリセットされ、前記制御部のリセット後に前記メモリを参照することにより前記メモリ内にフラグが立っていることを当該制御部が確認したときに、前記メモリに原稿の１ページ目の画像データが格納されていれば、当該画像データを前記メモリより取り出して前記表示部に表示させるとともに、前記メモリに原稿の１ページ目の画像データが格納されていなければ、前記表示部にエラー表示を行うことを特徴とする請求項２に記載の画像形成装置。
【請求項４】
請求項１から請求項３の何れかに記載の画像形成装置と、前記画像形成装置に通信ネットワークを通じて接続される端末装置と、から構成される画像形成システムにおいて、
前記画像形成装置には、前記スキャナ部で読み取った画像データを前記端末装置に転送するためのスキャナ機能が搭載されており、
スキャナ機能の使用時には、前記スキャナ部によって読み取られた原稿の画像データが、前記画像形成装置より前記通信ネットワークを通じて前記端末装置に転送されることを特徴とする画像形成システム。
【発明の詳細な説明】
【技術分野】
【０００１】
本発明は、読み取った原稿の画像データの処理が正常に行われない場合にエラー通知を行う画像形成装置及びこの画像形成装置を備える画像形成システムに関する。
【背景技術】
【０００２】
従来より、プリンタや複写機などの画像形成装置が知られている。この画像形成装置では、プリント出力時において、システムの誤作動などによりシステムのリセットが行われた場合、現在処理中のデータが破棄される。このとき、画像形成装置が端末装置からのデータを受信中であると、データの受信が一旦停止される。そして、システムの復帰後は、画像形成装置においてジョブの途中からデータの受信が行われるため、画像形成装置の印字データにデータ化けが生じる。
【０００３】
これに対し、画像形成装置がシステムリセットされた際に生じる印字データのデータ化けを回避することのできる画像形成システムが提案されている（特許文献１参照）。この画像形成システムでは、ホストコンピュータより送られてくるデータを印刷装置が受信すると、一時記憶メモリ内のジョブフラグが１にセットされる。そして、印刷装置において、受信したデータの印刷処理が終了すると、一時記憶メモリ内のジョブフラグが０にセットされる。
【０００４】
一方、印刷装置において、受信したデータの印刷処理が行われているときにシステムリセットされた場合、印刷処理が終了していないため、一時記憶メモリ内のジョブフラグが１にセットされたままとなる。このため、印刷装置のシステムリセット後、一時記憶メモリ内のジョブフラグの状態を見ることにより、一時記憶メモリ内のジョブフラグが１であった場合、印刷装置内にある残りのデータとホストコンピュータより印刷装置に送られてくる残りのデータとが破棄される。そして、印刷装置よりホストコンピュータにデータの再送が要求されることで、この印刷装置において、システムリセットにより印刷することのできなかったデータの印刷処理が行われる。これにより、印刷装置のシステムリセット後に印字データのデータ化けが生じることを回避できる。
【特許文献１】特開２００１−１７５４３６号公報
【発明の開示】
【発明が解決しようとする課題】
【０００５】
上述のように、上記画像形成システムでは、印刷装置のシステムリセットが行われると、印刷装置よりホストコンピュータにデータの再送が要求される。よって、印刷装置よりホストコンピュータに対してエラー通知を行うことが可能である。ここで、画像形成装置にコピー機能やスキャナ機能が搭載されるとき、コピー機能やスキャナ機能の使用時には、原稿の画像データの読み取りが行われる。
【０００６】
そして、コピー機能やスキャナ機能の使用時において、処理を行う原稿の枚数が多い場合には、ユーザが自動原稿送り装置に原稿をセットしてスタートボタンなどを押下した後、画像形成装置において原稿の画像データを読み取るとともに読み取った画像データの処理が終了するまでに時間がかかる。このため、画像形成装置において原稿の画像データを読み取るとともに読み取った画像データの処理が行われている間、ユーザは、他の仕事をするために、画像形成装置が設置される場所から離れることも多い。
【０００７】
このようにして、画像形成装置において原稿の画像データを読み取るとともに読み取った画像データの処理が行われている間に、画像形成装置の制御部がリセットされると、この画像形成装置の表示画面に処理エラーの表示がなされる。しかしながら、ユーザが画像形成装置が設置される場所から離れている間に複数の人が継続してコピー機能やスキャナ機能を使用すると、画像形成装置の制御部がリセットされてこの画像形成装置の表示画面に処理エラーの表示がなされても、誰が画像形成装置を使用したときに処理エラーが発生したのかを判断することが困難となる。
【０００８】
本発明は、かかる点に鑑みてなされたものであり、その目的とするところは、複数のデータの処理が行われるときに制御部がリセットされても、どのデータの処理中に制御部がリセットされたかを容易に判断することのできる画像形成装置及びこの画像形成装置を備える画像形成システムを提供することにある。
【課題を解決するための手段】
【０００９】
上記目的を達成するために、本発明の画像形成装置は、原稿の画像データを読み取るスキャナ部と、装置の動作状態を表示する表示部と、装置全体の動作を制御する制御部と、各種データを記憶するメモリと、を備える画像形成装置において、前記制御部が、前記スキャナ部による原稿の画像データの読み取りが開始されてから前記スキャナ部によって読み取られた画像データの処理が終了するまで前記メモリ内にフラグを立てるとともに、前記スキャナ部によって原稿の画像データの読み取りが行われる際に、前記スキャナ部によって読み取られた画像データの一部を前記メモリに格納しておくことで、前記制御部がリセットされたとき、前記制御部のリセット後に前記メモリを参照することにより前記メモリ内にフラグが立っていることを当該制御部が確認すると、画像データを前記メモリより取り出して前記表示部に表示させることを特徴とする。
【００１０】
このように構成された画像形成装置において、前記制御部がリセットされ、前記制御部のリセット後に前記メモリを参照することにより前記メモリ内にフラグが立っていることを当該制御部が確認したときに、前記メモリに画像データが格納されていなければ、前記表示部にエラー表示を行う。尚、このエラー表示としては、読み取った原稿の画像データの処理を正常に行うことができない旨の表示や、画像形成装置に内蔵される時計の時刻に基づくエラーが発生した時刻の表示などが挙げられる。
【００１１】
また、このような構成の画像形成装置において、前記スキャナ部によって原稿の画像データの読み取りが行われる際に、前記スキャナ部によって読み取られた原稿の１ページ目の画像データが前記メモリに格納されるとともに、前記制御部がリセットされ、前記制御部のリセット後に前記メモリを参照することにより前記メモリ内にフラグが立っていることを当該制御部が確認したときに、前記メモリに原稿の１ページ目の画像データが格納されていれば、当該画像データを前記メモリより取り出して前記表示部に表示させるとともに、前記メモリに原稿の１ページ目の画像データが格納されていなければ、前記表示部にエラー表示を行う。
【００１２】
また、上記目的を達成するために、本発明の画像形成システムは、上述の何れかの画像形成装置と、前記画像形成装置に通信ネットワークを通じて接続される端末装置と、から構成される画像形成システムにおいて、前記画像形成装置には、前記スキャナ部で読み取った画像データを前記端末装置に転送するためのスキャナ機能が搭載されており、スキャナ機能の使用時には、前記スキャナ部によって読み取られた原稿の画像データが、前記画像形成装置より前記通信ネットワークを通じて前記端末装置に転送されることを特徴とする。
【発明の効果】
【００１３】
本発明によれば、制御部がリセットされたとき、当該制御部のリセット後にメモリを参照することによりメモリ内にフラグが立っていることを当該制御部が確認すると、原稿の画像データをメモリより取り出して表示部に表示させるようにしているため、複数の人が継続して画像形成装置を使用する場合に、制御部がリセットされても、誰が画像形成装置を使用したときに処理エラーが発生したのかを容易に判断することができる。また、このような画像形成装置を備えて、スキャナ機能の使用時にスキャナ部によって読み取られた原稿の画像データを画像形成装置より通信ネットワークを通じて端末装置に転送することのできる画像形成システムを提供することができる。
【発明を実施するための最良の形態】
【００１４】
以下、本発明の実施形態を図面に基づいて詳細に説明する。尚、以下の実施形態は、本発明の画像形成装置を本発明の画像形成システムに適用したものである。
【００１５】
《発明の実施形態》
図１に示すように、本実施形態の画像形成システムは、複数のパーソナルコンピュータなどの端末装置１０と１台の画像形成装置２０とによって構成されており、複数の端末装置１０のそれぞれと画像形成装置２０とがＬＡＮ３０（Local Area Network）に接続されている。
【００１６】
尚、この画像形成システムでは、図１に示すように、端末装置１０を２台設置しているが、これに限らず、端末装置１０を１台または３台以上設置するようにしてもよい。また、この画像形成システムでは、図１に示すように、画像形成装置２０を１台設置しているが、これに限らず、画像形成装置２０を複数台設置するようにしてもよい。
【００１７】
このような構成の画像形成システムにおいて、画像形成装置２０には、原稿の複写を行うコピー機能と、各端末装置１０よりＬＡＮ３０を介して転送されるデータを印字出力するプリンタ機能と、原稿の画像データを読み取るとともに読み取った画像データを予め指定された端末装置１０のフォルダにＬＡＮ３０を介して転送するスキャナ機能と、原稿の画像データを読み取るとともに読み取った画像データを電話回線を通じて相手先のファクシミリ装置（不図示）へ送信するファクシミリ機能と、が搭載されている。
【００１８】
また、図１に示すように、この画像形成装置２０は、コピー機能、スキャナ機能、或いはファクシミリ機能が使用されるときに原稿の画像データを読み取るスキャナ部２１と、スキャナ部２１で読み取った画像データを記録紙に印字して出力するエンジン部２２と、スキャナ部２１及びエンジン部２２のそれぞれの動作を制御するエンジン制御部２３と、エンジン制御部２３に設置されてデータ処理部２６のリセットを行うＡＳＩＣ２４（Application Specific Integrated Circuit）と、各機能に応じた画像形成条件の設定や画像形成装置２０の動作状態の表示を行うための表示画面（不図示）を備える表示部２５と、スキャナ部２１で読み取った画像データを処理するとともにエンジン制御部２３及び表示部２５のそれぞれの動作を制御する制御部としてのデータ処理部２６と、スキャナ部２１で読み取った原稿の画像データを格納する不揮発性の第１のメモリ２７と、スキャナ部２１で読み取った原稿の１ページ目の縮小画像のデータを格納する第２のメモリ２８と、データ処理部２６が各処理を実行する際に必要な作業領域を提供するＲＡＭ２９（Random Access Memory）と、を備えている。
【００１９】
尚、この画像形成装置２０には、コピー機能、スキャナ機能、或いは、ファクシミリ機能が使用されるときに、自動で原稿を搬送する自動原稿送り装置（不図示）が設置されており、この自動原稿送り装置がスキャナ部２１に含まれるものとする。
【００２０】
そして、この画像形成装置２０では、コピー機能、または、スキャナ機能の使用時において、スキャナ部２１による原稿の画像データの読み取りが開始されると、データ処理部２６によって、ＲＡＭ２９内のレジスタにフラグが立てられる。即ち、ＲＡＭ２９内のレジスタのフラグが１にセットされる。また、この画像形成装置２０では、コピー機能の使用時において、スキャナ部２１で読み取った原稿の画像データの印字出力が終了したことをデータ処理部２６が確認すると、または、スキャナ機能の使用時において、スキャナ部２１で読み取った原稿の画像データの端末装置１０への転送が終了したことをデータ処理部２６が確認すると、このデータ処理部２６によって、ＲＡＭ２９内のレジスタのフラグが０にセットされる。
【００２１】
このようにＲＡＭ２９内のレジスタのフラグを０または１にセットすることで、この画像形成装置２０において、データ処理部２６が誤作動を起こすなどしてこのデータ処理部２６がリセットされた場合、データ処理部２６のリセット後にＲＡＭ２９内のレジスタのフラグを参照することによって、コピー機能の使用時においてスキャナ部２１で読み取った原稿の画像データの印字出力が正常に行われたか否か、または、スキャナ機能の使用時においてスキャナ部２１で読み取った原稿の画像データがＬＡＮ３０を介して端末装置１０へ正常に転送されたか否か、を確認することができる。
【００２２】
このように構成された画像形成システムにおいて、画像形成装置２０に搭載されるコピー機能またはスキャナ機能を用いて原稿の画像データの読み取りを行う際のデータ処理部２６の動作を、図２に示すフローチャートを参照しながら説明する。
【００２３】
まず、ユーザが、自動原稿送り装置に原稿をセットする。そして、ユーザが、スキャナ機能を用いて原稿の画像データを端末装置１０のフォルダに転送するために、画像データを転送する端末装置１０のフォルダを表示部２５の表示画面を通じて指定し、或いは、コピー機能を用いて原稿の複写を行うために、表示部２５に表示されたスタートボタン（不図示）を押下する。
【００２４】
続いて、データ処理部２６が、スタートボタンが押下されたことを確認すると（ステップＳ１１でＹｅｓ）、原稿の画像データのスキャン動作を開始し（ステップＳ１２）、ＲＡＭ２９内のレジスタのフラグを１にセットする（ステップＳ１３）。そして、データ処理部２６からエンジン制御部２３を介してスキャナ部２１に制御信号が送信されることにより、このスキャナ部２１において、自動原稿送り装置より搬送された原稿の画像データが読み取られる。
【００２５】
その後、データ処理部２６において、スキャナ部２１による原稿の１ページ目の画像データの読み取りが正常に行われたか否かの判断が行われる（ステップＳ１４）。このとき、データ処理部２６が、スキャナ部２１による原稿の１ページ目の画像データの読み取りが正常に行われていないことを確認すると（ステップＳ１４でＮｏ）、即ち、スキャナ部２１で読み取られた原稿の１ページ目の画像データが第１のメモリ２７に格納されていないことを確認すると、データ処理部２６から表示部２５に制御信号が送信される。そして、表示部２５の表示画面に、エラー表示、即ち、原稿の画像データの読み取りを正常に行うことができない旨の表示がなされる（ステップＳ１５）。
【００２６】
ここで、スキャナ部２１による原稿の１ページ目の画像データの読み取りが終了するまでは、ユーザが、少なくとも画像形成装置２０の前に立っていることが予想される。このため、スキャナ部２１による原稿の１ページ目の画像データの読み取りが正常に行われないとき、ユーザは、表示部２５の表示画面になされたエラー表示によりその旨を知ることができる。
【００２７】
また、スキャナ部２１による原稿の１ページ目の画像データの読み取りが正常に行われていないことをデータ処理部２６が確認するのは、データ処理部２６が何らかの誤作動を起こすなどしてこのデータ処理部２６がリセットされたときである。尚、データ処理部２６が誤作動を起こした場合に、エンジン制御部２３からデータ処理部２６に制御信号を送信してもデータ処理部２６からの応答がないことをエンジン制御部２３が確認すると、エンジン制御部２３のＡＳＩＣ２４によってデータ処理部２６がリセットされる。
【００２８】
そして、データ処理部２６がリセットされたとき、エンジン制御部２３は、リセット前にデータ処理部２６より送信された制御信号に基づき動作しているため、スキャナ部２１では、原稿の画像データの読み取りが継続して行われる。しかしながら、データ処理部２６がリセットされているため、スキャナ部２１で読み取った原稿の画像データがデータ処理部２６において認識されることがない。
【００２９】
また、コピー機能の使用時において、第１のメモリ２７に格納された原稿の画像データは、データ処理部２６に読み出され、このデータ処理部２６において所定の処理がなされた後、エンジン部２２に転送される。データ処理部２６よりエンジン部２２に転送された画像データは、このエンジン部２２において記録紙に印字されて出力される。または、スキャナ機能の使用時において、第１のメモリ２７に格納された原稿の画像データは、データ処理部２６に読み出されてこのデータ処理部２６において所定の処理がなされた後、ＬＡＮ３０を介してユーザにより予め指定された端末装置１０のフォルダに転送される。よって、データ処理部２６がリセットされると、第１のメモリ２７に格納された画像データがデータ処理部２６において処理されないため、エンジン部２２における画像データの印字出力や端末装置１０への画像データの転送が中止される。
【００３０】
一方、ステップＳ１４において、データ処理部２６が、スキャナ部２１による原稿の１ページ目の画像データの読み取りが正常に行われたことを確認すると（ステップＳ１４でＹｅｓ）、即ち、スキャナ部２１によって読み取られた原稿の１ページ目の画像データが第１のメモリ２７に格納されたことを確認すると、第１のメモリ２７からこの画像データが取り出される。そして、データ処理部２６において、スキャナ部２１で読み取った原稿の１ページ目の画像データに対し、画像の大きさを縮小するための処理が行われる。続いて、データ処理部２６の指示により、データ処理部２６において処理された画像データが第２のメモリ２８に格納される（ステップＳ１６）。
【００３１】
尚、データ処理部２６において、スキャナ部２１で読み取った原稿の１ページ目の画像データに対して画像の大きさを縮小するための処理を行うのは、スキャナ部２１による原稿の２ページ目以降の画像データの読み取りが正常に行われないとき、原稿の１ページ目の縮小画像を表示部２５の表示画面に表示させるためである。
【００３２】
また、ステップＳ１６において、原稿の１ページ目の縮小画像のデータが第２のメモリ２８に格納された後、データ処理部２６によって、スキャナ部２１で読み取った原稿の画像データの処理が終了したか否かの判断が行われる（ステップＳ１７）。尚、スキャナ部２１で読み取った原稿の画像データの処理とは、コピー機能の使用時において、スキャナ部２１で読み取った原稿の画像データがエンジン部２２において印字出力されること、または、スキャナ機能の使用時において、スキャナ部２１で読み取った原稿の画像データがＬＡＮ３０を介して端末装置１０へ転送されることを意味する。
【００３３】
このとき、データ処理部２６が、スキャナ部２１で読み取った原稿の画像データの処理が終了していないことを確認すると（ステップＳ１７でＮｏ）、このデータ処理部２６によって、スキャナ部２１で読み取った原稿の画像データの処理が継続して行われる。
【００３４】
一方、このとき、データ処理部２６が、スキャナ部２１で読み取った原稿の画像データの処理が終了したことを確認すると（ステップＳ１７でＹｅｓ）、このデータ処理部２６によって、第２のメモリ２８に格納された画像データが消去される（ステップＳ１８）。その後、データ処理部２６が、ＲＡＭ２９内のレジスタのフラグを０にセットし（ステップＳ１９）、処理を終了する。
【００３５】
画像形成装置２０のデータ処理部２６がこのような動作を行うとき、データ処理部２６が何らかの誤作動を起こすなどしてリセットされた後のデータ処理部２６の動作について、図３に示すフローチャートを参照しながら説明する。
【００３６】
まず、データ処理部２６が何らかの誤作動を起こすなどしてリセットされると（ステップＳ２１）、データ処理部２６がリセットから復帰した後に、このデータ処理部２６によってＲＡＭ２９が参照され、ＲＡＭ２９内のレジスタのフラグが１になっているか否かの判断が行われる（ステップＳ２２）。ここで、上述のように、スキャナ部２１による原稿の画像データの読み取りが開始されると、コピー機能の使用時において、スキャナ部２１で読み取った原稿の画像データの印字出力が終了するまで、または、スキャナ機能の使用時において、スキャナ部２１で読み取った原稿の画像データの端末装置１０への転送が終了するまで、データ処理部２６によって、ＲＡＭ２９内のレジスタのフラグが１にセットされる。
【００３７】
そして、ステップＳ２２において、データ処理部２６が、ＲＡＭ２９内のレジスタのフラグが０にセットされていることを確認すると、即ち、データ処理部２６のリセット時に、スキャナ部２１で原稿の画像データを読み取るとともにデータ処理部２６によってスキャナ部２１で読み取った原稿の画像データの処理が行われていなかったことを確認すると（ステップＳ２２でＮｏ）、処理を終了する。
【００３８】
一方、ステップＳ２２において、データ処理部２６が、ＲＡＭ２９内のレジスタのフラグが１にセットされていることを確認すると、即ち、データ処理部２６のリセット時に、スキャナ部２１で原稿の画像データを読み取るとともにデータ処理部２６によってスキャナ部２１で読み取った原稿の画像データの処理が行われていたことを確認すると（ステップＳ２２でＹｅｓ）、次に、このデータ処理部２６によって、スキャナ部２１が原稿の１ページ目の画像データを読み取る際にデータ処理部２６のリセットが行われたか否かの判断が行われる（ステップＳ２３）。
【００３９】
このとき、データ処理部２６が、第２のメモリ２８に画像データが格納されていることを確認すると、即ち、スキャナ部２１が２ページ目以降の原稿の画像データを読み取る際にデータ処理部２６のリセットが行われたことを確認すると（ステップＳ２３でＮｏ）、データ処理部２６によって、第２のメモリ２８に格納された画像データが取り出される。そして、データ処理部２６によって、第２のメモリ２８から表示部２５にこの画像データが送信され、表示部２５の表示画面に原稿の１ページ目の縮小画像が表示される（ステップＳ２４）。或いは、スキャナ機能の使用時には、データ処理部２６によって、第２のメモリ２８からＬＡＮ３０を介してユーザにより予め指定された端末装置１０にこの画像データが送信され、端末装置１０の表示画面（不図示）に原稿の１ページ目の縮小画像が表示されるようにしてもよい（ステップＳ２４）。
【００４０】
一方、このとき、データ処理部２６が、第２のメモリ２８に画像データが格納されていないことを確認すると、即ち、スキャナ部２１が原稿の１ページ目の画像データを読み取る際にデータ処理部２６のリセットが行われたことを確認すると（ステップＳ２３でＹｅｓ）、データ処理部２６から表示部２５に制御信号が送信される。そして、表示部２５の表示画面に、エラー表示、即ち、原稿の画像データの読み取りを正常に行うことができない旨の表示がなされる（ステップＳ２５）。
【００４１】
これにより、複数の人が継続して画像形成装置２０のコピー機能またはスキャナ機能を使用するとき、データ処理部２６がリセットされるごとに、ステップＳ２４では、このデータ処理部２６によって第２のメモリ２８から表示部２５にこの画像データが送信され、表示部２５の表示画面に原稿の１ページ目の縮小画像が表示される。或いは、複数の人が継続して画像形成装置２０のコピー機能またはスキャナ機能を使用するとき、データ処理部２６がリセットされるごとに、ステップＳ２５では、表示部２５の表示画面にエラー表示がなされる。
【００４２】
従って、複数の人が継続して画像形成装置２０のコピー機能またはスキャナ機能を使用するとき、データ処理部２６が画像データの処理を行っている際にこのデータ処理部２６がリセットされると、データ処理部２６のリセット時に行われていた処理に対して、表示部２５の表示画面に、原稿の１ページ目の縮小画像の表示、または、原稿の画像データの読み取りを正常に行うことができない旨のエラー表示がなされる。そして、表示部２５の表示画面には、ユーザが画像形成装置２０に対して所定の操作を行うまで、原稿の１ページ目の縮小画像の表示、または、エラー表示がなされる。
【００４３】
本実施形態では、データ処理部２６がリセットされたとき、当該データ処理部２６のリセット後にＲＡＭ２９を参照することによりＲＡＭ２９内のレジスタのフラグが立っていることを当該データ処理部２６が確認すると、原稿の１ページ目の縮小画像のデータを第２のメモリ２８より取り出して原稿の１ページ目の縮小画像を表示部２５の表示画面に表示させるようにしている。従って、本実施形態によれば、複数の人が継続してコピー機能またはスキャナ機能を使用する場合に、画像形成装置２０のデータ処理部２６がリセットされると、表示部２５の表示画面に原稿の１ページ目の縮小画像が表示されるため、誰が画像形成装置２０を使用したときに処理エラーが発生したのかを容易に判断することができる。
【００４４】
また、上述のように、スキャナ部２１による原稿の１ページ目の画像データの読み取りが終了するまでは、ユーザが、少なくとも画像形成装置２０の前に立っていることが予想される。このため、データ処理部２６が、スキャナ部２１による原稿の１ページ目の画像データの読み取りが正常に行われていないことを確認したときに、表示部２５の表示画面にエラー表示を行うことにより、ユーザが、表示部２５の表示画面を通じて、処理エラーが発生したことを直ちに知ることができる。
【００４５】
尚、上記画像形成システムでは、ＬＡＮ３０を通じて複数の端末装置１０のそれぞれと画像形成装置２０とが接続されることとしたが、これに限るものではない。即ち、通信ネットワークを通じて複数の端末装置１０のそれぞれと画像形成装置２０とが接続されていればよく、ＬＡＮ３０に代えて、例えば、インターネットを通じて複数の端末装置１０のそれぞれと画像形成装置２０とが接続されていてもよい。
【００４６】
また、上記画像形成システムでは、エンジン制御部２３にＡＳＩＣ２４を設置することとしたが、これに限るものではない。即ち、表示部２５にＡＳＩＣ２４を設置するようにしてもよい。そして、データ処理部２６が誤作動を起こした場合に、表示部２５からデータ処理部２６に制御信号を送信してもデータ処理部２６からの応答がないことを表示部２５が確認すると、表示部２５のＡＳＩＣ２４によってデータ処理部２６がリセットされる。
【００４７】
また、上記画像形成システムでは、画像形成装置２０のデータ処理部２６がリセットされたときに、図３に示すフローチャートのステップＳ２４において、表示部２５または端末装置１０の表示画面に原稿の１ページ目の縮小画像を表示するようにしているが、この縮小画像に加え、原稿の画像データの読み取りを正常に行うことができない旨の表示をこれらの表示画面に行うようにしてもよい。これにより、ユーザは、表示部２５または端末装置１０の表示画面を通じて、原稿の画像データの読み取りが行われる際に処理エラーが発生したことを容易に知ることができる。
【００４８】
更に、上記画像形成システムにおいて、図２に示すフローチャートのステップＳ１５では、データ処理部２６によって、表示部２５の表示画面にエラー表示がなされるのみである。このため、表示部２５の表示画面にエラー表示がなされたときに既にユーザが画像形成装置２０の前から離れており、その後に、複数の人が継続して画像形成装置２０を使用した場合には、誰が画像形成装置２０を使用したときに処理エラーが発生したのかを判断することが困難となる。
【００４９】
これに対し、図２に示すフローチャートのステップＳ１５において、表示部２５の表示画面に、原稿の画像データの読み取りを正常に行うことができない旨のエラー表示に加え、画像形成装置２０に内蔵される時計の時刻に基づき処理エラーが発生した時刻の表示を行うようにしてもよい。これにより、各ユーザは、表示部２５の表示画面を通じて、誰が画像形成装置２０を使用したときに処理エラーが発生したのかを正確に知ることができる。
【産業上の利用可能性】
【００５０】
以上説明したように、本発明は、読み取った原稿の画像データの処理が正常に行われない場合にエラー通知を行う画像形成装置及びこの画像形成装置を備える画像形成システムについて有用である。
【図面の簡単な説明】
【００５１】
【図１】実施形態に係る画像形成システムの構成を示すブロック図である。
【図２】画像形成装置に搭載されるコピー機能またはスキャナ機能を用いて原稿の画像データの読み取りを行う際のデータ処理部の動作を示すフローチャートである。
【図３】画像形成装置のデータ処理部がリセットされた後のデータ処理部の動作を示すフローチャートである。
【符号の説明】
【００５２】
１０  端末装置
２０  画像形成装置
２１  スキャナ部
２２  エンジン部
２３  エンジン制御部
２４  ＡＳＩＣ
２５  表示部
２６  データ処理部
２７  第１のメモリ
２８  第２のメモリ
２９  ＲＡＭ
３０  ＬＡＮ
【図１】
2007053498.tif 000003
【図２】
2007053498.tif 000004
【図３】
2007053498.tif 000005